(57)【要約】【課題】現場での作業を簡素化して、リブ管をマンホールの側壁に良好に接続することのできるリブ管用継手を提供する。また、現場での取付けが容易な、リブ管の接続方法を提供する。【解決手段】マンホール側壁Ｗの孔Ｈに前部が挿入され、後部外周面にホースバンド１ａを嵌着した筒状のジョイント１と、筒本体部２ａの前部外周面に環状筒を嵌合し、前部がジョイント１の後部に嵌入するアダプター２と、アダプター２の後部外周面に嵌合し、リブ管Ｐの環状リブＲ間に嵌り込む断面が略くさび状の固定用補助材３ａの外周面にホースバンド３ｂを巻回した締結部材３とで構成する。ホースバンド１ａの締め付けで、ジョイント１をアダプター２に固定し、ホースバンド３ｂの締め付けで、固定用補助材３ａの径を小さくし、アダプター２をリブ管Ｐに固定する。【選択図】      図１
2004340192.tif 000002
【特許請求の範囲】
【請求項１】
マンホールの側壁に穿設された孔に、フランジ状の環状リブが外周面に多数形成されたリブ管を接続するための可撓継手であって、
前記孔に、前記マンホール側である前部が挿入されて取付けられ、後部外周面にホースバンドを嵌着した弾性材製で筒状のジョイントと、
弾性材製である筒本体部の前部外周面に剛性の高い環状筒を嵌合し、前部が前記ジョイントの後部に嵌入するアダプターと、
前記アダプターの後部外周面に嵌合し、前記リブ管の隣接する環状リブ間に嵌り込む断面が略くさび状の固定用補助材の外周面にホースバンドを巻回した締結部材とで構成し、
前記ホースバンドの締め付けで、前記ジョイントの後部内周面を前記アダプターの前部外周面に固定すると共に、前記ホースバンドの締め付けで固定用補助材の径を小さくすることによって、前記アダプターの後部内周側を、挿入された前記リブ管の隣接する環状リブ間に押し付けて固定することを特徴とするリブ管用可撓継手。
【請求項２】
前記固定用補助材の内周面に摩擦低減材を被覆したことを特徴とする請求項１に記載のリブ管用可撓継手。
【請求項３】
請求項１又は２に記載のリブ管用可撓継手を使用したリブ管の接続方法であって、
前記マンホール側壁の孔に、前記ジョイントとアダプターを取付け、
前記アダプターの後部外周面に締結部材を嵌合し、
前記ホースバンドの締め付けで、前記ジョイントの後部内周面を前記アダプターの前部外周面に固定すると共に、
前記ホースバンドの締め付けで固定用補助材の径を小さくすることによって、前記アダプターの後部内周側を、挿入された前記リブ管の隣接する環状リブ間に押し付けて固定することを特徴とするリブ管接続方法。
【請求項４】
請求項１又は２に記載のリブ管用可撓継手を使用したリブ管の接続方法であって、
前記マンホール側壁の孔に、前記ジョイントを取付け、
前記アダプターの後部外周面に締結部材を嵌合した後、その一体物をリブ管の先端部外周面に嵌合し、
前記リブ管をジョイントに挿入し、
前記ホースバンドの締め付けで、前記ジョイントの後部内周面を前記アダプターの前部外周面に固定すると共に、
前記ホースバンドの締め付けで固定用補助材の径を小さくすることによって、前記アダプターの後部内周側を、挿入された前記リブ管の隣接する環状リブ間に押し付けて固定することを特徴とするリブ管接続方法。
【発明の詳細な説明】
【０００１】
【発明の属する技術分野】
本発明は、下水道等のマンホールの側壁に、リブ付きパイプ（以下、「リブ管」と言う）を取付けるための耐震性のある可撓性継手、およびその継手を使用したリブ管の接続方法に関するものである。
【０００２】
【従来の技術】
従来、下水道用として使用される管としては、いわゆる塩ビ管を始めとして様々な種類があり、また、それらの管をマンホールの側壁に取付けるために種々の継手が開発され、使用されている。
【０００３】
その中で、外周面に多数の環状リブＲを有するリブ管Ｐ用の継手がある。この継手は、一般的に、図５に示すような構成となっている。すなわち、主に可撓性材料で形成した継手部材１０、ポリエチレン製環状パーツ１２、ゴム輪１３、およびバンド材１１で構成されている。
そして、その取付けは、まず、継手部材１０をマンホールＭの側壁Ｗに形成した孔Ｈに取付け（図５（ａ））、次に、その継手部材１０に、環状パーツ１２を嵌合したリブ管Ｐを挿入し（図５（ｂ））、最後に、バンド材１１で継手部材１０を締付け、ゴム輪１３によってシール性を確保している（図５（ｃ））。
【０００４】
【発明が解決しようとする課題】
しかしながら、従来のリブ管用継手には、以下のような問題点がある。
（１）環状パーツ１２をリブ管Ｐに嵌合するための専用治具が必要であり、その取扱いおよび作業が面倒である。従って、リブ管取付けの良否が現場での作業に大きく左右され、作業者の熟練の程度によって差が生じる。
（２）環状パーツ１２をリブ管Ｐに嵌合する際、現場で、ゴム輪１３に潤滑剤を塗布しなければならないので、その嵌合作業が面倒である。
（３）この際、潤滑剤の塗布量によって作業性が大きく左右されるので、充分塗布すれば作業性は向上するものの、それだけ潤滑剤のコストが嵩むので、そのあたりの加減が困難であり、作業が厄介である。
【０００５】
そこで、本発明の目的とするところは、現場での作業を簡素化して、作業者の熟練の程度に関わりなく、リブ管をマンホールの側壁に良好に接続することのできるリブ管用継手を提供することにある。また、そのような継手を使用して、現場での取付けが容易な、リブ管の接続方法を提供することにある。
【０００６】
【課題を解決するための手段】
上記の目的を達成するために、本発明の請求項１に記載のリブ管用可撓継手は、マンホール（Ｍ）の側壁（Ｗ）に穿設された孔（Ｈ）に、フランジ状の環状リブ（Ｒ）が外周面に多数形成されたリブ管（Ｐ）を接続するための可撓継手であって、前記孔（Ｈ）に、前記マンホール（Ｍ）側である前部が挿入されて取付けられ、後部外周面にホースバンド（１ａ）を嵌着した弾性材製で筒状のジョイント（１）と、弾性材製である筒本体部（２ａ）の前部外周面に剛性の高い環状筒（２ｂ）を嵌合し、前部が前記ジョイント（１）の後部に嵌入するアダプター（２）と、前記アダプター（２）の後部外周面に嵌合し、前記リブ管（Ｐ）の隣接する環状リブ（Ｒ）間に嵌り込む断面が略くさび状の固定用補助材（３ａ）の外周面にホースバンド（３ｂ）を巻回した締結部材（３）とで構成し、前記ホースバンド（１ａ）の締め付けで、前記ジョイント（１）の後部内周面を前記アダプター（２）の前部外周面に固定すると共に、前記ホースバンド（３ｂ）の締め付けで固定用補助材（３ａ）の径を小さくすることによって、前記アダプター（２）の後部内周側を、挿入された前記リブ管（Ｐ）の隣接する環状リブ（Ｒ）間に押し付けて固定することを特徴とする。
【０００７】
また請求項２に記載の発明は、前記固定用補助材（３ａ）の内周面（３ｃ）に摩擦低減材を被覆したことを特徴とする。
【０００８】
さらに、請求項３に記載のリブ管接続方法は、請求項１又は２に記載のリブ管用可撓継手を使用した接続方法であって、前記マンホール側壁（Ｗ）の孔（Ｈ）に、前記ジョイント（１）とアダプター（２）を取付け、前記アダプター（２）の後部外周面に締結部材（３）を嵌合し、前記ホースバンド（１ａ）の締め付けで、前記ジョイント（１）の後部内周面を前記アダプター（２）の前部外周面に固定すると共に、前記ホースバンド（３ｂ）の締め付けで固定用補助材（３ａ）の径を小さくすることによって、前記アダプター（２）の後部内周側を、挿入された前記リブ管（Ｐ）の隣接する環状リブ（Ｒ）間に押し付けて固定することを特徴とする。
【０００９】
さらにまた、請求項４に記載のリブ管接続方法は、請求項１又は２に記載のリブ管用可撓継手を使用した接続方法であって、前記マンホール側壁（Ｗ）の孔（Ｈ）に、前記ジョイント（１）を取付け、前記アダプター（２）の後部外周面に締結部材（３）を嵌合した後、その一体物をリブ管（Ｐ）の先端部外周面に嵌合し、前記リブ管（Ｐ）をジョイント（１）に挿入し、前記ホースバンド（１ａ）の締め付けで、前記ジョイント（１）の後部内周面を前記アダプター（２）の前部外周面に固定すると共に、前記ホースバンド（３ｂ）の締め付けで固定用補助材（３ａ）の径を小さくすることによって、前記アダプター（２）の後部内周側を、挿入された前記リブ管（Ｐ）の隣接する環状リブ（Ｒ）間に押し付けて固定することを特徴とする。
【００１０】
なお、カッコ内の記号は、図面および後述する発明の実施の形態に記載された対応要素または対応事項を示す。
【００１１】
本発明の請求項１に記載のリブ管用可撓継手によれば、締結部材等の取付けは、専用治具を使用しないで容易に行うことができる。
従って、リブ管の接続作業を簡素化することができる。
【００１２】
また、請求項２に記載のリブ管用可撓継手によれば、請求項１に記載のリブ管用可撓継手の作用効果に加えて、固定用補助材の内周面に摩擦低減材を被覆しているので、取付け現場において、当該固定用補助材に潤滑剤を塗布する必要がない。
【００１３】
さらに、請求項３に記載のリブ管接続方法によれば、請求項１又は２に記載のリブ管用可撓継手を使用したリブ管接続方法であり、まず、マンホール側壁の孔に、ジョイントとアダプターを取付けるが、このジョイントとアダプターはあらかじめ工場で取付けておくことができるので、現場での作業を簡素化することができる。
さらに、接続のための専用治具を必要としないので、さらに作業の簡素化を図ることができる。
【００１４】
さらにまた、請求項４に記載のリブ管接続方法によれば、請求項３に記載の発明の作用効果と同様に、接続のための専用治具を必要としないので、さらに作業の簡素化を図ることができる。
【００１５】
【発明の実施の形態】
図１乃至図３を参照して、本発明の第一実施形態に係るリブ管用可撓継手、およびこの可撓継手を使用したリブ管接続方法について説明する。図１は当該可撓継手を使用したリブ管Ｐの接続方法を示す部分断面側面図である。図２はそのアダプター２を示す半断面側面図、図３はその締結部材３を示す半断面側面図である。なお従来例で示したものと同一部分には同一符合を付した。
【００１６】
本発明の第一実施形態に係るリブ管用可撓継手は、マンホールＭの側壁Ｗに穿設された孔Ｈに、フランジ状の環状リブＲが外周面に多数形成されたリブ管Ｐを接続するためのものであり、主にジョイント１、アダプター２および締結部材３で構成され、優れた耐震性を有するものである。
【００１７】
ジョイント１は、マンホール側壁Ｗに穿設した孔Ｈに、当該マンホールＭ側である前部が挿入されて取付けられるもので、その後部外周面にホースバンド１ａを嵌着し、ＥＰＤＭ等の合成ゴムで形成された円筒状である。
アダプター２は、同じくＥＰＤＭ等の合成ゴム製で円筒状の筒本体部２ａと、塩ビ製で、筒本体部２ａの前部外周面に嵌合する環状筒とで構成され、その前部がジョイント１の後部に嵌入するものである。
また、締結部材３は、固定用補助材３ａの外周面にホースバンド３ｂを巻回して構成している。この固定用補助材３ａは、アダプター２の後部外周面に嵌合し、リブ管Ｐの隣接する環状リブＲ間に嵌り込む断面が略くさび状であり、その内周面３ｃには成形の段階で摩擦低減材として樹脂塗膜を被覆している。
【００１８】
このリブ管用可撓継手を使用して、リブ管Ｐを接続するには、次のようにして行う。
（１）まず、マンホール側壁Ｗの孔Ｈに、ジョイント１とアダプター２を取付ける（図１（ａ）参照）。
この作業において、ジョイント１とアダプター２を、あらかじめ工場で取付けておくことにより、現場での作業を簡素化することができる。
（２）次に、リブ管Ｐを、ジョイント１とアダプター２との一体物内および締結部材３内を挿通させて側壁Ｗの孔Ｈに挿入する（図１（ｂ））。
（３）そして、アダプター２の後部外周面に締結部材３を嵌合する（図１（ｃ））。これにより、ホースバンド１ａの締め付けで、ジョイント１の後部内周面をアダプターの前部外周面に固定する。また、ホースバンド３ｂの締め付けで固定用補助材３ａの径を小さくして、アダプター２の後部内周側を、リブ管Ｐの隣接する環状リブＲ間に押し付けて固定する。
【００１９】
この締結部材３をアダプター２の後部外周面に嵌合する際、固定用補助材３ａの内周面３ｃにはあらかじめ摩擦低減材として樹脂被膜を被覆しているので、現場において潤滑剤を塗布することなく容易に嵌合することができる。
また、この一連の作業は全て手作業のみで行うことができ、専用治具を必要としない。従って、リブ管Ｐの接続を容易に行うことができる。
【００２０】
図４を参照して本発明の第二実施形態に係るリブ管用可撓継手と、当該可撓継手を使用したリブ管Ｐの接続方法について説明する。図４は当該可撓継手を使用したリブ管Ｐの接続方法を示す部分断面側面図である。従来例で示したものと同一部分には同一符合を付した。
【００２１】
このリブ管用可撓継手において、第一実施形態のものと異なる点は、ジョイント１の形状である。すなわち、この第二実施形態におけるジョイント１は、その口径を後部に向かって縮小させており、これによって孔Ｈの周面との間隙を広げて撓み量が大きく採れるように設定し、耐震性の向上を図っている。
【００２２】
当該第二実施形態に係るリブ管用可撓継手を使用してリブ管Ｐを接続するには、次のように方法をとることができる。
（１）まず、マンホール側壁Ｗの孔Ｈに、ジョイント１を取付ける（図４（ａ））。
（２）次に、アダプター２の後部外周面に締結部材３を嵌合する（図４（ｂ））。
（３）その後、その一体物をリブ管Ｐの先端部外周面に嵌合する（図４（ｃ））。
（４）そして、リブ管Ｐをジョイント１に挿入する。これによって、ホースバンド１ａの締め付けで、ジョイント１の後部内周面をアダプターの前部外周面に固定する。それと同時に、ホースバンド３ｂの締め付けで固定用補助材３ａの径を小さくして、アダプター２の後部内周側を、リブ管Ｐの隣接する環状リブＲ間に押し付けて固定する（図４（ｄ））。
【００２３】
この接続方法においても、固定用補助材３ａの内周面３ｃに樹脂塗膜を被覆しているので、締結部材３をアダプター２の外周面に容易に取付けることができる。また、専用治具を使用せず、全て手作業で行うことができるので、接続作業が容易である。
【００２４】
また、本発明の実施形態例では、摩擦係数低減材の例として、樹脂塗膜のみをあげているが、ウレタン塗膜やシリコーン塗膜等も同様に適用可能である。
【００２５】
【発明の効果】
本発明の請求項１に記載のリブ管用可撓継手によれば、締結部材等の取付けは、専用治具を使用しないで容易に行うことができる。
従って、リブ管の接続作業を簡素化することができる。
【００２６】
また、請求項２に記載のリブ管用可撓継手によれば、請求項１に記載のリブ管用可撓継手の作用効果に加えて、固定用補助材の内周面に摩擦低減材を被覆しているので、取付け現場において、当該固定用補助材に潤滑剤を塗布する必要がない。
【００２７】
さらに、請求項３に記載のリブ管接続方法によれば、請求項１又は２に記載のリブ管用可撓継手を使用したリブ管接続方法であり、まず、マンホール側壁の孔に、ジョイントとアダプターを取付けるが、このジョイントとアダプターはあらかじめ工場で取付けておくことができるので、現場での作業を簡素化することができる。
さらに、接続のための専用治具を必要としないので、さらに作業の簡素化を図ることができる。
【００２８】
さらにまた、請求項４に記載のリブ管接続方法によれば、請求項３に記載の発明の作用効果と同様に、接続のための専用治具を必要としないので、さらに作業の簡素化を図ることができる。
【図面の簡単な説明】
【図１】本発明の第一実施形態に係るリブ管用可撓継手を使用したリブ管の接続方法を示す部分断面側面図である。
【図２】図１に示すリブ管用可撓継手のアダプターを示す半断面側面図である。
【図３】図１に示すリブ管用可撓継手の締結部材を示す半断面側面図である。
【図４】本発明の第二実施形態に係るリブ管用可撓継手を使用したリブ管の接続方法を示す部分断面側面図である。
【図５】従来例に係るリブ管用可撓継手を使用したリブ管の接続方法を示す部分断面側面図である。
【符号の説明】
１        ジョイント
１ａ      ホースバンド
２        アダプター
２ａ      筒本体部
２ｂ      環状筒
３        締結部材
３ａ      固定用補助材
３ｂ      ホースバンド
３ｃ      内周面
１０        継手部材
１１        バンド材
１２        環状パーツ
１３        ゴム輪
Ｐ        リブ管
Ｒ        環状リブ
Ｍ        マンホール
Ｗ        側壁
Ｈ        孔
【図１】
2004340192.tif 000003
【図２】
2004340192.tif 000004
【図３】
2004340192.tif 000005
【図４】
2004340192.tif 000006
【図５】
2004340192.tif 000007